(57)【要約】【課題】本発明は、オーディオデータの特徴解析に要する時間を短縮することができるオーディオデータ処理装置を提供することを目的とする。【解決手段】逆量子化された周波数領域オーディオデータを用いて、スケールファクタバンド毎に、Ｍ／Ｓステレオが適用されたスケールファクタバンドであるか否かをそれぞれ判定し、Ｍ／Ｓステレオが適用されたスケールファクタバンドについては、スケールファクタバンドにおけるＳチャネルの周波数領域オーディオデータを抽出して出力し、Ｍ／Ｓステレオが適用されていないスケールファクタバンドについては、スケールファクタバンドにおけるＬ及びＲチャネルの周波数領域オーディオデータを用いて、Ｓチャネルの周波数領域オーディオデータを生成して出力するＭ／Ｓステレオ判定部と、Ｓチャネルの周波数領域オーディオデータを用いて、オーディオ符号化データの特徴解析を行う特徴解析部とを備える。【選択図】図１
2008164823.tif 000002
【特許請求の範囲】
【請求項１】
Ｌ及びＲチャネルのオーディオ信号の相関に応じて、前記Ｌ及びＲチャネルのオーディオ信号の和成分であるＭチャネルのオーディオ信号並びに前記Ｌ及びＲチャネルのオーディオ信号の差成分であるＳチャネルのオーディオ信号を符号化するＭ／Ｓステレオ適用モードと、前記Ｌ及びＲチャネルのオーディオ信号をそのまま符号化するＭ／Ｓステレオ非適用モードとを、スケールファクタバンド毎に切り替えながら、前記Ｌ及びＲチャネルのオーディオ信号を符号化することにより生成されたオーディオ符号化データが入力されると、前記オーディオ符号化データを復号化することにより、周波数軸上のオーディオデータである周波数領域オーディオデータを生成し出力する復号部と、
前記周波数領域オーディオデータを逆量子化し出力する逆量子化部と、
逆量子化された前記周波数領域オーディオデータを用いて、前記スケールファクタバンド毎に、前記Ｍ／Ｓステレオが適用された前記スケールファクタバンドであるか否かをそれぞれ判定し、前記Ｍ／Ｓステレオが適用された前記スケールファクタバンドについては、前記スケールファクタバンドにおける前記Ｓチャネルの周波数領域オーディオデータを抽出して出力し、前記Ｍ／Ｓステレオが適用されていない前記スケールファクタバンドについては、前記スケールファクタバンドにおける前記Ｌ及びＲチャネルの周波数領域オーディオデータを用いて、前記Ｓチャネルの周波数領域オーディオデータを生成して出力するＭ／Ｓステレオ判定部と、
前記Ｓチャネルの周波数領域オーディオデータを用いて、前記オーディオ符号化データの特徴解析を行う特徴解析部と
を備えることを特徴とするオーディオデータ処理装置。
【請求項２】
前記特徴解析部は、
所定の周波数／信号レベル特性を有するオーディオデータを検出するためのリファレンス用周波数領域オーディオデータを有し、前記リファレンス用周波数領域オーディオデータと、前記Ｓチャネルの周波数領域オーディオデータとの類似度を解析することにより、前記オーディオ符号化データに、前記所定の周波数／信号レベル特性を有するオーディオデータが含まれているか否かの特徴解析を行う
ことを特徴とする請求項１に記載のオーディオデータ処理装置。
【請求項３】
Ｌ及びＲチャネルのオーディオ信号の相関に応じて、前記Ｌ及びＲチャネルのオーディオ信号の和成分であるＭチャネルのオーディオ信号並びに前記Ｌ及びＲチャネルのオーディオ信号の差成分であるＳチャネルのオーディオ信号を符号化するＭ／Ｓステレオ適用モードと、前記Ｌ及びＲチャネルのオーディオ信号をそのまま符号化するＭ／Ｓステレオ非適用モードとを、スケールファクタバンド毎に切り替えながら、前記Ｌ及びＲチャネルのオーディオ信号を符号化することにより生成されたオーディオ符号化データが入力されると、前記オーディオ符号化データを復号化することにより、周波数軸上のオーディオデータである周波数領域オーディオデータを生成し出力する復号部と、
前記周波数領域オーディオデータを逆量子化し出力する逆量子化部と、
逆量子化された前記周波数領域オーディオデータを用いて、前記スケールファクタバンド毎に、前記Ｍ／Ｓステレオが適用された前記スケールファクタバンドであるか否かをそれぞれ判定し、前記Ｍ／Ｓステレオが適用された前記スケールファクタバンドについては、前記スケールファクタバンドにおける前記Ｓチャネルの周波数領域オーディオデータを抽出して出力し、前記Ｍ／Ｓステレオが適用されていない前記スケールファクタバンドについては、前記スケールファクタバンドにおける前記Ｌ又はＲチャネルの周波数領域オーディオデータを抽出して出力するＭ／Ｓステレオ判定部と、
前記Ｍ／Ｓステレオが適用された前記スケールファクタバンドについては、前記Ｓチャネルの周波数領域オーディオデータを用いて特徴解析を行い、前記Ｍ／Ｓステレオが適用されていない前記スケールファクタバンドについては、前記Ｌ又はＲチャネルの周波数領域オーディオデータを用いて特徴解析を行うことにより、前記オーディオ符号化データの特徴解析を行う特徴解析部と
を備えることを特徴とするオーディオデータ処理装置。
【請求項４】
前記特徴解析部は、
前記Ｍ／Ｓステレオが適用された前記スケールファクタバンドにおける特徴解析結果と、前記Ｍ／Ｓステレオが適用されていない前記スケールファクタバンドにおける特徴解析結果とのうち、前記Ｍ／Ｓステレオが適用された前記スケールファクタバンドにおける特徴解析結果に重みを付けて、前記オーディオ符号化データに、前記所定の周波数／信号レベル特性を有するオーディオデータが含まれているか否かの特徴解析を行う
ことを特徴とする請求項３に記載のオーディオデータ処理装置。
【請求項５】
Ｌ及びＲチャネルのオーディオ信号の相関に応じて、前記Ｌ及びＲチャネルのオーディオ信号の和成分であるＭチャネルのオーディオ信号並びに前記Ｌ及びＲチャネルのオーディオ信号の差成分であるＳチャネルのオーディオ信号を符号化するＭ／Ｓステレオ適用モードと、前記Ｌ及びＲチャネルのオーディオ信号をそのまま符号化するＭ／Ｓステレオ非適用モードとを、スケールファクタバンド毎に切り替えながら、前記Ｌ及びＲチャネルのオーディオ信号を符号化することにより生成されたオーディオ符号化データが入力されると、前記オーディオ符号化データを復号化することにより、周波数軸上のオーディオデータである周波数領域オーディオデータを生成し出力する復号部と、
前記周波数領域オーディオデータを逆量子化し出力する逆量子化部と、
逆量子化された前記周波数領域オーディオデータを用いて、前記スケールファクタバンド毎に、前記Ｍ／Ｓステレオが適用された前記スケールファクタバンドであるか否かをそれぞれ判定し、全スケールファクタバンド数に占める、Ｍ／Ｓステレオ適用スケールファクタバンド数の割合が、所定の閾値より大きい場合には、前記Ｓチャネルの周波数領域オーディオデータを生成して出力し、前記割合が前記閾値より小さい場合には、前記Ｌ又はＲチャネルの周波数領域オーディオデータを生成して出力するＭ／Ｓステレオ判定部と、
与えられた前記周波数領域オーディオデータを用いて、前記オーディオ符号化データの特徴解析を行う特徴解析部と
を備えることを特徴とするオーディオデータ処理装置。
【発明の詳細な説明】
【技術分野】
【０００１】
本発明は、オーディオデータ処理装置に関する。
【背景技術】
【０００２】
従来、例えばプロ野球中継などのスポーツ番組の中から所望の映像を抽出してダイジェスト映像を生成する装置がある。かかる装置は、記録された映像を再生しダイジェスト映像を生成する際、映像と同時に再生される音声を解析し、例えば観客の歓声を検出した場合に、当該観客の歓声に対応する映像をハイライトシーンとして抽出することにより、ダイジェスト映像を生成する。
【０００３】
以下、オーディオデータの特徴解析に関する文献名を記載する。
【特許文献１】特開２００６−１２９３６３号公報
【特許文献２】特開２００４−２１０９２号公報
【発明の開示】
【発明が解決しようとする課題】
【０００４】
しかし、オーディオデータの特徴解析を行うためには、所定の復号処理を実行しなければならず、特徴解析に要する時間が長くなるという問題があった。
【０００５】
本発明は、以上の問題を解決するためになされたもので、オーディオデータの特徴解析に要する時間を短縮することができるオーディオデータ処理装置を提供することを目的とする。
【課題を解決するための手段】
【０００６】
本発明の一態様によるオーディオデータ処理装置は、
Ｌ及びＲチャネルのオーディオ信号の相関に応じて、前記Ｌ及びＲチャネルのオーディオ信号の和成分であるＭチャネルのオーディオ信号並びに前記Ｌ及びＲチャネルのオーディオ信号の差成分であるＳチャネルのオーディオ信号を符号化するＭ／Ｓステレオ適用モードと、前記Ｌ及びＲチャネルのオーディオ信号をそのまま符号化するＭ／Ｓステレオ非適用モードとを、スケールファクタバンド毎に切り替えながら、前記Ｌ及びＲチャネルのオーディオ信号を符号化することにより生成されたオーディオ符号化データが入力されると、前記オーディオ符号化データを復号化することにより、周波数軸上のオーディオデータである周波数領域オーディオデータを生成し出力する復号部と、
前記周波数領域オーディオデータを逆量子化し出力する逆量子化部と、
逆量子化された前記周波数領域オーディオデータを用いて、前記スケールファクタバンド毎に、前記Ｍ／Ｓステレオが適用された前記スケールファクタバンドであるか否かをそれぞれ判定し、前記Ｍ／Ｓステレオが適用された前記スケールファクタバンドについては、前記スケールファクタバンドにおける前記Ｓチャネルの周波数領域オーディオデータを抽出して出力し、前記Ｍ／Ｓステレオが適用されていない前記スケールファクタバンドについては、前記スケールファクタバンドにおける前記Ｌ及びＲチャネルの周波数領域オーディオデータを用いて、前記Ｓチャネルの周波数領域オーディオデータを生成して出力するＭ／Ｓステレオ判定部と、
前記Ｓチャネルの周波数領域オーディオデータを用いて、前記オーディオ符号化データの特徴解析を行う特徴解析部と
を備える。
【発明の効果】
【０００７】
本発明のオーディオデータ処理装置によれば、オーディオデータの特徴解析に要する時間を短縮することができる。
【発明を実施するための最良の形態】
【０００８】
以下、本発明の実施の形態について図面を参照して説明する。
【０００９】
（１）第１の実施の形態
本実施の形態の場合、音声を取り込む手段として、例えば野球場や演奏ホールなど種々の会場の所定位置に、Ｌ（左）チャネルのマイクとＲ（右）チャネルのマイクとが配置され、アナウンサーや司会者の音声を取り込むため、実況解説席にマイクが配置されている（図示せず）。
【００１０】
実況解説席に配置されたマイクから入力されるアナウンサーの音声は、Ｌチャネルのマイクから入力される音声と、Ｒチャネルのマイクから入力される音声とにそれぞれ重畳された上で、図示しない符号化装置に入力される。
【００１１】
かかる符号化装置は、例えばＡＡＣ（Advanced Audio Coding）などのオーディオ符号化方式を採用し、アナウンサーの音声が重畳された、Ｌチャネルのオーディオ信号とＲチャネルのオーディオ信号とをそれぞれハフマン符号化する。
【００１２】
その際、符号化装置は、Ｌ及びＲチャネルのオーディオ信号を、複数の周波数帯域（以下、これをスケールファクタバンド（ｓｆｂ）と呼ぶ）に細かく分割し、当該分割したスケールファクタバンド毎に符号化を行う。
【００１３】
ところで、この符号化装置は、スケールファクタバンド毎に、Ｌチャネルのオーディオ信号とＲチャネルのオーディオ信号との相関値を算出し、当該算出された相関値が所定の閾値より低い場合には（Ｍ／Ｓステレオ非適用モード）、Ｌ及びＲチャネルのオーディオ信号をそのまま符号化する。
【００１４】
これに対して、この符号化装置は、算出された相関値が所定の閾値より大きい場合には（Ｍ／Ｓステレオ適用モード）、ステレオモードとしてＭ／Ｓ（ミッド／サイド）ステレオを選択し、次式
【数１】
2008164823.tif 000003
によって、Ｌ及びＲチャネルのオーディオ信号の和成分であるＭチャネルのオーディオ信号を生成すると共に、Ｌ及びＲチャネルのオーディオ信号の差成分であるＳチャネルのオーディオ信号を生成する。なお、このＳチャネルのオーディオ信号は、Ｌ及びＲチャネルのオーディオ信号の差成分を算出することにより生成されるため、アナウンサーや司会者の音声が除去されている。
【００１５】
次いで、この符号化装置は、スケールファクタバンド単位で、Ｌチャネルのオーディオ信号をＭチャネルのオーディオ信号に置き換えると共に、Ｒチャネルのオーディオ信号をＳチャネルのオーディオ信号に置き換えた上で、符号化を行う。
【００１６】
これにより、例えばＬチャネルのオーディオ信号とＲチャネルのオーディオ信号との相関値が大きい（波形が類似している）場合には、Ｓチャネルのオーディオ信号がほぼ「０」になり、よって、Ｌチャネルのオーディオ信号とＲチャネルのオーディオ信号とを独立して符号化する場合と比較して、Ｌ及びＲチャネルのオーディオ信号の冗長を除去し、効率の良い符号化を行うことができる。
【００１７】
このようにして生成されたオーディオ符号化データは、Ｌ及びＭチャネルを含む第１チャネルのオーディオ符号化データと、Ｒ及びＳチャネルを含む第２チャネルのオーディオ符号化データとを有する。
【００１８】
ここで図１に、復号化装置が有する、本発明の第１の実施の形態によるオーディオデータ処理装置１０の構成を示す。このオーディオデータ処理装置１０は、上述の符号化装置によって生成されたオーディオ符号化データＤ１０をハフマン復号部２０に入力する。
【００１９】
ハフマン復号部２０は、このオーディオ符号化データＤ１０に対して、例えばハフマン復号化などの復号化を行うことにより、Ｌ及びＭチャネルを含む第１チャネルの周波数領域オーディオデータ（周波数軸上のオーディオデータ）Ｄ２０Ａと、Ｒ及びＳチャネルを含む第２チャネルの周波数領域オーディオデータＤ２０Ｂとからなる周波数領域オーディオデータを生成し、このうち第１チャネルの周波数領域オーディオデータＤ２０Ａを第１の逆量子化部３０Ａに出力し、第２チャネルの周波数領域オーディオデータＤ２０Ｂを第２の逆量子化部３０Ｂに出力する。
【００２０】
ところで、第１チャネルの周波数領域オーディオデータＤ２０Ａは、スケールファクタバンド毎に、スケールファクタ（量子化ステップサイズ情報）と呼ばれるパラメータをそれぞれ有する。同様に、第２チャネルの周波数領域オーディオデータＤ２０Ｂも、スケールファクタバンド毎にスケールファクタをそれぞれ有する。
【００２１】
逆量子化部を形成する第１及び第２の逆量子化部３０Ａ及び３０Ｂのうち、第１の逆量子化部３０Ａは、スケールファクタバンド単位で、第１チャネルの周波数領域オーディオデータＤ２０Ａとスケールファクタとをそれぞれ乗算し、第１チャネルの周波数領域オーディオデータＤ２０Ａを逆量子化することにより、通常スケールにおける第１チャネルの周波数領域オーディオデータＤ３０Ａを生成し、これをＭ／Ｓステレオ判定部４０に出力する。
【００２２】
同様に、第２の逆量子化部３０Ｂは、スケールファクタバンド単位で、第２チャネルの周波数領域オーディオデータＤ２０Ｂとスケールファクタとをそれぞれ乗算することにより、通常スケールにおける第２チャネルの周波数領域オーディオデータＤ３０Ｂを生成し、これをＭ／Ｓステレオ判定部４０に出力する。
【００２３】
Ｍ／Ｓステレオ判定部４０は、第１及び第２チャネルの周波数領域オーディオデータＤ３０Ａ及びＤ３０Ｂを用いて、対応するスケールファクタバンド毎に、Ｍ／Ｓステレオが適用されたスケールファクタバンドであるか否かをそれぞれ判定する。
【００２４】
Ｍ／Ｓステレオ判定部４０は、Ｍ／Ｓステレオが適用されたスケールファクタバンドであると判定した場合には、当該スケールファクタバンドに対応するＳチャネルの周波数領域オーディオデータを選択して出力する。
【００２５】
これに対して、Ｍ／Ｓステレオ判定部４０は、Ｍ／Ｓステレオが適用されていないスケールファクタバンドであると判定した場合には、当該スケールファクタバンドに対応するＬ及びＲチャネルの周波数領域オーディオデータの差分を取って「２」で除算することにより、Ｓチャネルの周波数領域オーディオデータを生成して出力する。
【００２６】
このようにして、Ｍ／Ｓステレオ判定部４０は、スケールファクタバンド毎に、Ｍ／Ｓステレオが適用されたスケールファクタバンドであるか否かを判定し、その判定結果に応じて、出力を切り替えることにより、Ｓチャネルの周波数領域オーディオデータＤ４０を生成し、これを特徴選択部５０に出力する。
【００２７】
特徴解析部５０は、例えば観客の歓声など所定の周波数／信号レベル特性を有するオーディオデータを検出するためのリファレンス用周波数領域オーディオデータを有する。特徴解析部５０は、このリファレンス用周波数領域オーディオデータと、Ｓチャネルの周波数領域オーディオデータＤ４０との類似度を算出することにより、入力されたオーディオ符号化データＤ１０に、例えば観客の歓声など所定の周波数／信号レベル特性を有するオーディオデータが含まれているか否かを示す解析結果信号Ｄ５０を生成し、これを出力する。
【００２８】
ここで図２に、復号化装置６０全体の構成を示す。なお、図１に示された要素と同一のものには同一の符号を付して説明を省略する。この復号化装置６０の場合、ジョイントステレオ部７０は、第１の逆量子化部３０Ａから第１チャネルの周波数領域オーディオデータＤ３０Ａが与えられ、第２の逆量子化部３０Ｂから第２チャネルの周波数領域オーディオデータＤ３０Ｂが与えられる。
【００２９】
ジョイントステレオ部７０は、第１及び第２チャネルの周波数領域オーディオデータＤ３０Ａ及びＤ３０Ｂを用いて、対応するスケールファクタバンド毎に、Ｍ／Ｓステレオが適用されたスケールファクタバンドであるか否かをそれぞれ判定する。
【００３０】
ジョイントステレオ部７０は、Ｍ／Ｓステレオが適用されなかったスケールファクタバンドであると判定した場合には、当該スケールファクタバンドに対応するＬ及びＲチャネルの周波数領域オーディオデータをそのまま出力する。
【００３１】
これに対して、ジョイントステレオ部７０は、Ｍ／Ｓステレオが適用されたスケールファクタバンドであると判定した場合には、当該スケールファクタバンドに対応するＭ及びＳチャネルの周波数領域オーディオデータを用いて、Ｌ及びＲチャネルの周波数領域オーディオデータを生成して出力する。
【００３２】
このようにして、ジョイントステレオ部７０は、Ｌチャネルの周波数領域オーディオデータＤ６０Ａと、Ｒチャネルの周波数領域オーディオデータＤ６０Ｂとを生成し、これらを周波数／時間変換部８０に出力する。
【００３３】
周波数／時間変換部８０は、Ｌチャネルの周波数領域オーディオデータＤ６０Ａと、Ｒチャネルの周波数領域オーディオデータＤ６０Ｂとに対して、それぞれ周波数／時間変換を施すことにより、Ｌチャネルの時間領域オーディオデータＤ７０Ａと、Ｒチャネルの時間領域オーディオデータＤ７０Ｂとを生成する。
【００３４】
この図２に示すように、本実施の形態によれば、第１及び第２の逆量子化部３０Ａ及び３０Ｂから出力される第１及び第２チャネルの周波数領域オーディオデータＤ３０Ａ及びＤ３０Ｂを用いて、特徴解析を行うことができる。従って、例えば、周波数／時間変換部８０から出力されるＬ及びＲチャネルの時間領域オーディオデータＤ７０Ａ及びＤ７０Ｂを用いて、特徴解析を行う場合や、ジョイントステレオ部７０から出力されるＬ及びＲチャネルの周波数領域オーディオデータＤ６０Ａ及びＤ６０Ｂを用いて、特徴解析を行う場合と比較して、特徴解析に要する時間を短縮することができる。
【００３５】
（２）第２の実施の形態
図３に、本発明の第２の実施の形態によるオーディオデータ処理装置１００の構成を示す。なお、図１に示された要素と同一のものには同一の符号を付して説明を省略する。このオーディオデータ処理装置１００の場合、Ｍ／Ｓステレオ判定部１１０は、第１の実施の形態と同様に、第１及び第２チャネルの周波数領域オーディオデータＤ３０Ａ及びＤ３０Ｂを用いて、対応するスケールファクタバンド毎に、Ｍ／Ｓステレオが適用されたスケールファクタバンドであるか否かをそれぞれ判定する。
【００３６】
Ｍ／Ｓステレオ判定部１１０は、Ｍ／Ｓステレオが適用されたスケールファクタバンドであると判定した場合には、当該スケールファクタバンドに対応するＳチャネルの周波数領域オーディオデータＤ１００Ｂを選択して、これをＭ／Ｓチャネル用特徴解析部１２０Ｂに出力する。
【００３７】
これに対して、Ｍ／Ｓステレオ判定部１１０は、Ｍ／Ｓステレオが適用されていないスケールファクタバンドであると判定した場合には、当該スケールファクタバンドに対応するＬチャネルの周波数領域オーディオデータＤ１００Ａを選択して、これをＬ／Ｒチャネル用特徴解析部１２０Ａに出力する。なお、この場合、Ｒチャネルの周波数領域オーディオデータを選択して出力しても良い。
【００３８】
Ｌ／Ｒチャネル用特徴解析部１２０Ａは、リファレンス用Ｌチャネル周波数領域オーディオデータを有し、このリファレンス用Ｌチャネル周波数領域オーディオデータと、Ｌチャネルの周波数領域オーディオデータＤ１００Ａとの類似度Ｃ＿ｌを算出し、これを特徴解析部１３０に出力する。
【００３９】
Ｍ／Ｓチャネル用特徴解析部１２０Ｂは、リファレンス用Ｓチャネル周波数領域オーディオデータを有し、このリファレンス用Ｓチャネル周波数領域オーディオデータと、Ｓチャネルの周波数領域オーディオデータＤ１００Ｂとの類似度Ｃ＿ｓを算出し、これを特徴解析部１３０に出力する。
【００４０】
特徴解析部１３０は、与えられた類似度Ｃ＿ｌ及びＣ＿ｓを用いて、次式
【数２】
2008164823.tif 000004
のように、Ｍ／Ｓチャネル用特徴解析部１２０Ｂから出力された類似度Ｃ＿ｓに重みを付ける重み付け演算を行うことにより、類似度Ｃを算出する。そして特徴解析部１３０は、この類似度Ｃを所定の閾値と比較することにより、入力されたオーディオ符号化データＤ１０に、例えば観客の歓声など所定の周波数／信号レベル特性を有するオーディオデータが含まれているか否かを示す解析結果信号Ｄ１１０を生成し出力する。
【００４１】
このように本実施の形態によれば、例えば観客の歓声など所定の周波数／信号レベル特性を有するオーディオデータを検出する際、Ｌチャネルの周波数領域オーディオデータＤ１００Ａにはアナウンサーなどの音声が重畳されたままの可能性があることから、アナウンサーなどの音声が除去されたＳチャネルの周波数領域オーディオデータＤ１００Ｂを用いて算出された類似度Ｃ＿ｓに重み付けを行って特徴解析を行うことにより、アナウンサーの音声の影響を低減して特徴解析を行うことができ、従って特徴解析の精度を向上させることができる。
【００４２】
また、本実施の形態によれば、第１の実施の形態と同様に、第１及び第２の逆量子化部３０Ａ及び３０Ｂから出力される第１及び第２チャネルの周波数領域オーディオデータＤ３０Ａ及びＤ３０Ｂを用いて、特徴解析を行うことができ、従って特徴解析に要する時間を短縮することができる。
【００４３】
（３）第３の実施の形態
図４に、本発明の第３の実施の形態によるオーディオデータ処理装置１５０の構成を示す。なお、図１に示された要素と同一のものには同一の符号を付して説明を省略する。このオーディオデータ処理装置１５０の場合、Ｍ／Ｓステレオ判定部１６０は、第１及び第２チャネルの周波数領域オーディオデータＤ３０Ａ及びＤ３０Ｂを用いて、対応するスケールファクタバンド毎に、Ｍ／Ｓステレオが適用されたスケールファクタバンドであるか否かをそれぞれ判定する。
【００４４】
そして、Ｍ／Ｓステレオ判定部１６０は、全スケールファクタバンド数ｎｕｍ＿ｓｆｂに占める、Ｍ／Ｓステレオ適用スケールファクタバンド数ｎｕｍ＿ｍｓの割合が、次式
【数３】
2008164823.tif 000005
のように、所定の閾値ＴＨ１より大きい場合には、アナウンサーなどの音声が混入されていると判定する。
【００４５】
この場合、Ｍ／Ｓステレオ判定部１６０は、Ｍ／Ｓステレオが適用されたスケールファクタバンドについては、当該スケールファクタバンドに対応するＳチャネルの周波数領域オーディオデータを選択し、Ｍ／Ｓステレオが適用されていないスケールファクタバンドについては、当該スケールファクタバンドに対応するＬ及びＲチャネルの周波数領域オーディオデータを用いてＳチャネルの周波数領域オーディオデータを生成することにより、全周波数帯域におけるＳチャネルの周波数領域オーディオデータＤ１５０を生成し、これを特徴解析部１７０に出力する。
【００４６】
特徴解析部１７０は、例えば観客の歓声など所定の周波数／信号レベル特性を有するオーディオデータを検出するためのリファレンス用Ｓチャネル周波数領域オーディオデータを有する。特徴解析部１７０は、このリファレンス用Ｓチャネル周波数領域オーディオデータと、Ｓチャネルの周波数領域オーディオデータＤ１５０との類似度を算出することにより、入力されたオーディオ符号化データＤ１０に、例えば観客の歓声など所定の周波数／信号レベル特性を有するオーディオデータが含まれているか否かを示す解析結果信号Ｄ１６０を生成し、これを出力する。
【００４７】
これに対して、Ｍ／Ｓステレオ判定部１６０は、全スケールファクタバンド数ｎｕｍ＿ｓｆｂに占める、Ｍ／Ｓステレオ適用スケールファクタバンド数ｎｕｍ＿ｍｓの割合が、次式
【数４】
2008164823.tif 000006
のように、所定の閾値ＴＨ２より小さい場合には、アナウンサーなどの音声が混入されていないと判定する。
【００４８】
この場合、Ｍ／Ｓステレオ判定部１６０は、Ｍ／Ｓステレオが適用されたスケールファクタバンドについては、当該スケールファクタバンドに対応するＭ及びＳチャネルの周波数領域オーディオデータを用いてＬチャネルの周波数領域オーディオデータを生成し、Ｍ／Ｓステレオが適用されていないスケールファクタバンドについては、当該スケールファクタバンドに対応するＬチャネルの周波数領域オーディオデータを選択することにより、全周波数帯域におけるＬチャネルの周波数領域オーディオデータＤ１７０を生成し、これを特徴解析部１７０に出力する。なお、この場合、Ｌチャネルではなく、Ｒチャネルの周波数領域オーディオデータを生成しても良い。
【００４９】
特徴解析部１７０は、例えば観客の歓声など所定の周波数／信号レベル特性を有するオーディオデータを検出するためのリファレンス用Ｌチャネル周波数領域オーディオデータを有する。特徴解析部１７０は、このリファレンス用Ｌチャネル周波数領域オーディオデータと、Ｌチャネルの周波数領域オーディオデータＤ１７０との類似度を算出することにより、入力されたオーディオ符号化データＤ１０に、例えば観客の歓声など所定の周波数／信号レベル特性を有するオーディオデータが含まれているか否かを示す解析結果信号Ｄ１８０を生成し、これを出力する。
【００５０】
なお、Ｍ／Ｓステレオ判定部１６０は、上述の（３）及び（４）式を用いて、アナウンサーなどの音声が混入されているか否かを判定する際、人の音声が有する周波数帯域、例えば１００Ｈｚ〜４ｋＨｚの範囲の周波数帯域に限定して判定を行うこともできる。
【００５１】
このように本実施の形態によれば、アナウンサーなどの音声が混入されていないと判定した場合には、Ｌチャネルの周波数領域オーディオデータＤ１７０を用いて特徴解析を行うことにより、Ｓチャネルの周波数領域オーディオデータＤ１５０を用いて特徴解析を場合と比較して、特徴解析の精度を向上させることができる。
【００５２】
また、本実施の形態によれば、第１の実施の形態と同様に、第１及び第２の逆量子化部３０Ａ及び３０Ｂから出力される第１及び第２チャネルの周波数領域オーディオデータＤ３０Ａ及びＤ３０Ｂを用いて、特徴解析を行うことができ、従って特徴解析に要する時間を短縮することができる。
【００５３】
なお、上述の実施の形態は一例であって、本発明を限定するものではない。例えばオーディオ符号化方式としては、ＡＡＣではなく、ＭＰ３など、Ｍ／Ｓステレオを採用する他の種々のオーディオ符号化方式を使用することができる。また、検出対象のオーディオデータは、観客の歓声に限らず、所定の周波数／信号レベル特性を有する他の種々のオーディオデータであれば良い。
【図面の簡単な説明】
【００５４】
【図１】本発明の第１の実施の形態によるオーディオデータ処理装置の構成を示すブロック図である。
【図２】復号化装置の構成を示すブロック図である。
【図３】本発明の第２の実施の形態によるオーディオデータ処理装置の構成を示すブロック図である。
【図４】本発明の第３の実施の形態によるオーディオデータ処理装置の構成を示すブロック図である。
【符号の説明】
【００５５】
１０、１００、１５０  オーディオデータ処理装置
２０  ハフマン復号部
３０  逆量子化部
４０、１１０、１６０  Ｍ／Ｓステレオ判定部
５０、１２０、１３０、１７０  特徴解析部
【図１】
2008164823.tif 000007
【図２】
2008164823.tif 000008
【図３】
2008164823.tif 000009
【図４】
2008164823.tif 000010